(57)【要約】複数のマルチメディアコンテンツ１００〜１９５を含むメディアに記憶されているマルチメディアコンテンツの表示を制御する方法及び装置が開示される。本方法は、コンテンツ及び／又はメディアに関連付けされるアイデンティフィケーション１００からマルチメディアコンテンツを識別するステップ、既知の入力及び関連付けされたアイデンティフィケーション１００に応答して複数のマルチメディアコンテンツのうちの所望のコンテンツ１９５のロケーションを判定するステップ、所望のコンテンツ及び／又はメディアに関連付けされたアイデンティフィケーションを記憶するステップ、及び決定されたロケーションから所望のマルチメディアコンテンツを表示するステップを含む。本発明の１態様では、マルチメディアコンテンツのアイデンティフィケーションは、記憶されているアイデンティフィケーションに比較され、整合があったとき、複数のマルチメディアコンテンツのうちで選択されたコンテンツは、オペレータの制御下で表示されない。
2008521152.tif 000002
【特許請求の範囲】
【請求項１】
複数のマルチメディアコンテンツを含むメディアに記憶されているマルチメディアコンテンツの表示を制御する方法であって、
コンテンツ及び／又はメディアに関連付けされるアイデンティフィケーションからマルチメディアコンテンツを識別するステップと、
既知の入力及び関連付けされるアイデンティフィケーションに応答して前記複数のマルチメディアコンテンツのうちの所望のコンテンツのロケーションを判定するステップと、
所望のコンテンツ及び／又はメディアに関連付けされたアイデンティフィケーションを記憶するステップと、
決定されたロケーションから所望のマルチメディアコンテンツを表示するステップと、
を含む方法。
【請求項２】
前記識別するステップは、メディアの既知のロケーションからヘッダ情報を読み取るステップを含む、
請求項１記載の方法。
【請求項３】
前記ヘッダ情報は、タイトル、ＶＴＳナンバー、タイトルナンバー及びサブタイトルからなるグループから選択される、
請求項２記載の方法。
【請求項４】
前記既知のロケーションは、複数のマルチメディアコンテンツの開始と関連付けされる、
請求項２記載の方法。
【請求項５】
前記既知の入力は要求に応答する、
請求項１記載の方法。
【請求項６】
前記要求は、インタラクティブディスプレイを通して供給される、
請求項５記載の方法。
【請求項７】
前記既知の入力は、既知の入力の延長された始動である、
請求項１記載の方法。
【請求項８】
前記既知の入力は、新たな入力である、
請求項１記載の方法。
【請求項９】
オーディオ設定、カラー設定、視野角、編集マテリアルと関連付けされる情報を記憶するステップを更に含む、
請求項１記載の方法。
【請求項１０】
複数のマルチメディアコンテンツを含むメディアに記憶されているマルチメディアコンテンツの表示を制御する装置であって、
当該装置は、メモリと通信するプロセッサを有し、
前記プロセッサは、
コンテンツ及び／又はメディアに関連付けされるアイデンティフィケーションからマルチメディアコンテンツを識別し、
既知の入力及び関連付けされるアイデンティフィケーションに応答して前記複数のマルチメディアコンテンツのうちの所望のコンテンツのロケーションを判定し、
所望のコンテンツ及び／又はメディアに関連付けされたアイデンティフィケーションを前記メモリに記憶し、
決定されたロケーションから所望のマルチメディアコンテンツを表示する、
ためのコードを実行する装置。
【請求項１１】
前記プロセッサは、メディアの既知のロケーションからヘッダ情報を読み取るためのコードを更に実行する、
請求項１０記載の装置。
【請求項１２】
前記ヘッダ情報は、タイトル、ＶＴＳナンバー、タイトルナンバー及びサブタイトルからなるグループから選択される、
請求項１１記載の装置。
【請求項１３】
前記既知のロケーションは、複数のマルチメディアコンテンツの開始と関連付けされる、
請求項１１記載の装置。
【請求項１４】
前記既知の入力は要求に応答する、
請求項１０記載の装置。
【請求項１５】
前記要求は、インタラクティブディスプレイを通して供給される、
請求項１４記載の装置。
【請求項１６】
前記既知の入力は、既知の入力の延長された始動である、
請求項１０記載の装置。
【請求項１７】
前記既知の入力は、新たな入力である、
請求項１０記載の装置。
【請求項１８】
前記プロセッサは、オーディオ設定、カラー設定、視野角、編集マテリアルと関連付けされる情報を記憶するためのコードを更に実行する、
請求項１０記載の装置。
【請求項１９】
前記プロセッサと通信する入力／出力装置を更に有する、
請求項１０記載の装置。
【請求項２０】
前記コードは、前記メモリに記憶される、
請求項１０記載の装置。
【請求項２１】
前記複数のマルチメディアコンテンツは、光ディスク及び磁気ディスクからなるグループから選択されたディスクに記憶される、
請求項１０記載の装置。
【請求項２２】
前記複数のマルチメディアコンテンツはネットワークを通して供給される、
請求項１０記載の装置。
【発明の詳細な説明】
【技術分野】
【０００１】
本発明は、マルチメディアプレゼンテーションに関し、より詳細には、マルチメディアプレゼンテーションの開始を制御する方法及びシステムに関する。
【背景技術】
【０００２】
大部分の商業的なＤＶＤビデオディスクに関して、メインムービーを直ちに開始することは不可能である。典型的に、メインムービーは、他のコンテンツにより先行される。たとえば、ディスクは、ビデオ画像、静止画、及び／又は、新作映画、フィルムスタジオのロゴ、著作権法に関するＦＢＩワーニングのアナウンスメントを表す動画化されたメニューを含む。
【０００３】
多くのユーザにとって、特にディスクが１を超える回数で再生されるときに、映画の開始の前に、ビデオコンテンツ又はデータと呼ばれる、この更なるマルチメディアコンテンツを常に見る必要があることは不便である。たとえば、子供が同じ映画を一日に４回又は５回繰り返し見る場合がある。それぞれのケースでは、子供は、ディスクが再び挿入されたか又は再び開始されたときに全ての先行するコンテンツを見る必要がある。これは、単に映画を見ることを望み、表示されるメニューと対話することを望まないか、又は対話することができない子供を非常に悩ませる可能性がある。このケースでは、親は、メインムービーを必ず開始するためにシーケンスを強制的に制御する。
【０００４】
現在のＤＶＤビデオプレーヤは、メインムービーに直接的にジャンプすることができない。これは、映画の開始前のビデオコンテンツがユーザ動作禁止（ＵＯＰ）コマンドによりブロックされているためである。たとえば、従来のＤＶＤビデオディスクは、ＶＭＧＩに存在するか又は配置される、“First  Play  Program  Chain”（FP_PGC）を含む。大部分の全ての商業的なＤＶＤビデオディスクは、第一のビデオコンテンツ又はメニューを自動的に開始するために正しく規定されるFP_PGCを有する。また、これは、「ディスクの開始“the  beginning  of  the  disc”」とも呼ばれる。
【０００５】
ブロックされているコマンドを無効にすることで先行するコンテンツをスキップすることがたとえ可能であるとしても、ユーザは、たとえば適切な再生条件をセットアップするため、リモートコントロールの多数のボタンを押す必要がある。
【発明の開示】
【発明が解決しようとする課題】
【０００６】
したがって、ＤＶＤビデオディスクが再生されたとき、所望のビデオコンテンツの開始にユーザがダイレクトにジャンプするのを可能にする方法及び装置について当該技術分野において必要とされている。
【課題を解決するための手段】
【０００７】
複数のマルチメディアコンテンツを含む媒体に記憶されているマルチメディアコンテンツのプレゼンテーションを制御する方法及び装置が開示される。当該方法は、コンテンツ及び／又は媒体に関連付けされたアイデンティフィケーションからマルチメディアコンテンツを識別し、既知の入力に応答して複数のめる地メディアコンテンツの間の所望の１つのロケーション及び関連されるアイデンティフィケーションを決定し、所望のコンテンツ及び／又は媒体と関連されるアイデンティフィケーションを記憶し、決定されたロケーションから所望のマルチメディアコンテンツを表示する。本発明の１態様によれば、マルチメディアコンテンツのアイデンティフィケーションが記憶されているアイデンティフィケーションに比較され、整合が発見されたとき、複数のマルチメディアコンテンツのうちの選択されたコンテンツは、オペレータの制御下で提供されない。
【発明を実施するための最良の形態】
【０００８】
図１は、ＤＶＤビデオディスクはＤＶＤプレーヤに挿入されたときに従来表示されたスクリーンディスプレイの例示的なシーケンスを説明する。図示されるように、タイトルメニュー１００は、典型的には３０秒までの間に表示され、第二のディスプレイ１０５は、画像が米国及び外国の著作権法によりプロテクトされていることを公衆に通知し、著作権の侵害のペナルティを通知するＦＢＩ警告を表示する。また、このスクリーンは、最大で３０秒間表示される場合がある。第三のディスプレイ１１０は、たとえば関連するプロダクト、又は関連しないプロダクトについて典型的なコマーシャルを示す。これは、最大で２〜３秒間表示される場合がある。第四のディスプレイ１１５は、すぐに利用可能である新たなフィルム（ムービートレイラ）の広告である場合がある。ディスプレイ１２０〜１４５は、更なるコマーシャル及び／又はムービートレイラーを表すものとして示されている。これらのディスプレイのそれぞれは、１〜３分間続く。更なるディスプレイ１５０〜１９０が表示される場合がある。これらのディスプレイは、所望のムービー１９５が提供される前に実行される場合があるか、実行される必要があるインタラクティブな動作を必要とするディスプレイを表す。したがって、ディスクの所望のビデオコンテンツに関連しないコンテンツを見る、著しい時間量が費やされる。
【０００９】
図２は、本発明の原理に従う例示的なディスプレイ２００を例示する図である。本発明のこの実施の形態では、スクリーンディスプレイ２００は、図１に示されるディスプレイスクリーンの前に表示される。ディスプレイスクリーン２００は、ボタン２１０を従事させることで、メディア（たとえばディスク）に記憶されているビデオコンテンツを直接に再生するか、ボタン２２０を従事させることで、ディスクの開始からビデオコンテンツを表示し始めるかに関する要求に応答するインタラクティブな手段をユーザに提供する。
【００１０】
図３は、本発明の原理に係るＤＶＤビデオコンテンツのプレゼンテーションを制御する例示的なプロセス３００のフローチャートを示す。この例示的なプロセスでは、ディスクの固有の情報に関する情報は、ブロック３１０で取得される。ブロック３２０で、ディスクの固有な情報が前に再生されたディスクの記憶されたアイデンティフィケーションのうちの１つと同じであるか、すなわちディスクが再生されてこれが最初であるかに関する判定が行われる。判定が否定的である場合、ブロック３３０で、インタラクティブなダイレクト再生メニュー（図２参照）が表示される。
【００１１】
ブロック３４０で、インタラクティブなダイレクト再生メニュー又はスクリーンにより行われた要求する応答が受信され、所望のコンテンツを直接に示しているかに関する判定が行われる。判定が肯定的である場合、メインプレゼンテーション、すなわち所望のマルチメディアコンテンツに関する情報は、ブロック３５０で得られる。この情報は、たとえばＶＴＳ番号、タイトルナンバー、サブタイトル及びオーディオ設定等を含む。かかる情報は、当該技術分野で公知であり、ここでは説明する必要がない。次いで、処理はステップ３８０に進み、メインムービー又は所望のコンテンツが開始され、たとえば固有のアイデンティフィケーション、サブタイトル、オーディオ設定等の映画に関する情報が保存される。
【００１２】
しかし、判定が否定的である場合、すなわち“所望のコンテンツを直接に再生しない”場合、処理はブロック３６０に進み、ディスクの開始に関する情報、たとえばＶＭＧＩにおけるＦＰ＿ＰＧＣが取得される。ＰＧＣ及びＶＭＧＩは、当該技術分野で公知であり、本明細書で詳細に説明されない。複数のマルチメディアコンテンツの、たとえば最初のフレームである開始からディスクに記憶されているコンテンツは、ブロック３７０で表示される（図１参照）。理解されるように、複数のマルチメディアコンテンツの最初のフレームは、複数のマルチメディアコンテンツの物理的な開始を表す場合があるか、表さない場合がある。同様に、複数のマルチメディアコンテンツは、従来はディスクの開始であり、これは、当該技術分野で公知である。処理はブロック３８０に進み、メインムービーが開始され、たとえば固有のアイデンティフィケーション、タイトルナンバー、サブタイトル、オーディオ設定等の映画に関する情報は、先に記載されたように保存される。
【００１３】
ブロック３２０での判定に戻り、判定が肯定的である場合、処理はブロック３６０に進み、先に記載されたように、従来ディスクの開始であるマルチメディアコンテンツの開始から情報が取得される。
【００１４】
図４は、本発明の原理を実現するために使用されるシステム４００の例示的な実施の形態を例示する。システム４００は、１以上の入力／出力装置４０２、プロセッサ４０３及びメモリ４０４（図示せず）を含む処理セクション４１０を含む。Ｉ／Ｏ装置４０２は、１以上のソース４０１からの情報にアクセスするか、該ソースからの情報を受ける。ソース４０１は、テレビジョンシステム、ＤＶＤプレーヤ／レコーダ、コンピュータ、ノートブックコンピュータ、ＰＤＡセルフォン、又は本明細書に図示される処理を実行する情報を供給するのに適した他の装置のような装置である。装置４０１は、たとえば内部通信バス（アナログ又はデジタル）、ワイヤレスワイドエリアネットワーク、ワイヤレスメトロポリタンエリアネットワーク、ワイヤレスローカルエリアネットワーク、地上波ブロードキャストシステム（ラジオ、ＴＶ）、サテライトネットワーク、セルフォン、又はワイヤレステレフォンネットワーク、これらのネットワーク及び他のタイプのネットワークの一部又は組み合わせを介して、１以上のネットワークコネクション４５０を通して情報を供給する。
【００１５】
入力／出力装置４０２、プロセッサ４０３及びメモリ４０４は、通信媒体４２５を通して通信する。通信媒体４２５は、たとえば、バス、通信ネットワーク、１以上の内部の回路の接続、回路カード又は他の装置、並びに、これらの通信媒体及び他の通信媒体の一部及び組み合わせを表す。クライアント装置４０１からの入力データ又は情報は、メモリ４０１に記憶され、プロセッサ４０３により実行される１以上のプログラムに従って処理される。プロセッサ４０３は、汎用又は特定用途向けコンピュータシステムのような手段であるか、ラップトップコンピュータ、デスクトップコンピュータ、サーバ、ハンドヘルドコンピュータ、専用ロジック回路又は集積回路のようなハードウェアコンフィギュレーションである。プロセッサ４０３は、ＰＡＬ（Programmable  Array  Logic）、ＡＳＩＣ（Application  Specific  Integrated  Circuit）等であり、これは、既知の入力に応答して既知の出力を供給するソフトウェアインストラクション又はコードを含むために「プログラムされた」ハードウェアである。１態様では、ハードウェア回路は、本発明を実現するためのソフトウェア命令の代わりに、又はソフトウェア命令と共に使用される場合がある。本明細書で例示されるエレメントは、符号化された論理的な動作を使用して、ハードウェア実行可能なコードを実行することで、図示される動作を実行するために作用する離散的なハードウェアエレメントとして実現される場合がある。
【００１６】
１態様では、本発明の原理は、プロセッサ４０３により実行されるコンピュータ読み取り可能なコードにより実現される。コードは、メモリ４０４に記憶されるか、又は、メモリ媒体４８３、Ｉ／Ｏ装置４８５、若しくは、フロプティカルディスク、ＣＤ−ＲＯＭ又はＤＶＤのような磁気／光媒体４８７から読み取り／ダウンロードされる。
【００１７】
本明細書で例示される機能を実行するために作用する１以上のプログラムに従う処理の後、Ｉ／Ｏ装置４０２により受信された装置４０１からの情報アイテムは、ディスプレイ４９２、リポート装置４９０又は第二の処理システム４９５として表される１以上に出力装置にネットワーク４８０を通して送信される。たとえば、ディスプレイ４９２は、ＣＲＴ、ＬＣＤ又はプラズマといった従来のテレビジョンである。ネットワーク４８０は、ネットワーク４５０と同じ又は異なるネットワーク又はネットワークタイプである場合がある。
【００１８】
当業者であれば、用語「コンピュータ」又は「コンピュータシステム」は、１以上のメモリユニットと、たとえば少なくとも１つの処理ユニットに電気的に接続され、該処理ユニットに通信する周辺装置といった他の装置と通信する１以上の処理ユニットを表す場合があることを認識されるであろう。さらに、装置は、たとえばＩＳＡバス、マイクロチャネルバス、ＰＣＩバス、ＰＣＭＣＩＡバス等の内部バスを介して、若しくは、１以上の内部回路のコネクション、回路カード又は他の装置、若しくは、これらの通信メディア及び他の通信メディア及びたとえばインターネット及びイントラネットといった外部ネットワークの一部及び組み合わせを介して、１以上の処理ユニットに電気的に接続される。
【００１９】
好適な実施の形態に適用されるものとして本発明の基本となる新たな特徴が図示、記載及び注目されたが、開示された装置の構成及び詳細、並びにそれらの動作において、記載された装置における様々な省略及び置き換え及び変形が本発明の精神から逸脱することなしに当業者により行うことができる。たとえば、本発明は図２に示されるスクリーンに対して肯定的な応答を始動することに関して記載されているが、ダイレクトプレイモードを始動する他の手段に本明細書で図示されるコンセプトを拡張することは、当該技術分野の範囲にある。たとえば、１態様では、ＤＶＤプレーヤ又はリモートコントロールユニットのＰＬＡＹボタンは、延長された期間について保持される（たとえば少なくとも３秒）。別の態様では、個別のボタンは、ダイレクトプレイモードを始動するためにＤＶＤプレーヤ又はリモートコントロールユニットのいずれかで使用される。更に別の態様では、インタラクティブなダイレクトプレイスクリーンは、ＤＶＤディスクのスタートアップで表示されるか、ＤＶＤプレーヤのセットアップメニューのオプションである場合がある。
【００２０】
さらに、本発明は、ＤＶＤディスクに記憶されたマルチメディアに関して記載されたが、他の形式のメディアも同様に使用される場合があることを認識されたい。たとえば、マルチメディアコンテンツは、コンピュータディスクドライブのような磁気メディアに記憶される場合がある。このケースでは、マルチメディアコンテンツは、ディスクドライブの正確な開始に配置されず、開始の基準は、コンテンツの開始に関するものであって、物理的な位置に関するものではない。これは、ＤＶＤディスクに関しても当てはまる。
【００２１】
したがって、同じ結果を得るために実質的に同じ機能を実質的に同じやり方で実行するエレメントの全ての組み合わせは、本発明の範囲にあることが明示的に意図される。１つの記載されている実施の形態から別の実施の形態へのエレメントの置き換えもまた、十分に意図され、考案される。
【図面の簡単な説明】
【００２２】
【図１】従来のスクリーンディスプレイの例示的なシーケンスを説明する図である。
【図２】本発明の原理に従う例示的なスクリーンディスプレイを説明する図である。
【図３】本発明の原理に係る例示的なプロセスに関するフローチャートを説明する図である。
【図４】本明細書で示される処理を実行する装置を説明する図である。
【図１】
2008521152.tif 000003
【図２】
2008521152.tif 000004
【図３】
2008521152.tif 000005
【図４】
2008521152.tif 000006
【国際調査報告】
2008521152.tif 000007
2008521152.tif 000008